(57)【要約】【課題】  内燃機関内部のクリーン化を図って有害排気ガスの排出を抑えるとともに、低燃費効果を得ることができるアルコール系融合剤を提供すること。【解決手段】  内燃機関の燃料に添加して用いられるアルコール系融合剤である。このアルコール系融合剤は、にイソプロピルアルコール、イソブチルアルコール及びｎ−ブチルアルコールのアルコール成分を９５〜１００質量％含み、このアルコール成分のうちイソプロピルアルコールが４０〜５０質量％であり、イソブチルアルコールが２８〜３８質量％であり、ｎ−ブチルアルコールが１６〜２４質量％である。このようなアルコール系融合剤では、アルコール成分９５〜９９．５質量％、炭化水素成分０．５〜５．０質量％を含み、炭化水素成分として炭素数１１〜１４の炭化水素を用いるのが好ましい。【選択図】なし【特許請求の範囲】
【請求項１】
イソプロピルアルコール、イソブチルアルコール及びｎ−ブチルアルコールのアルコール成分を９５〜１００質量％含んでおり、前記アルコール成分のうちイソプロピルアルコールが４０〜５０質量％であり、イソブチルアルコールが２８〜３８質量％であり、ｎ−ブチルアルコールが１６〜２４質量％であることを特徴とする内燃機関のアルコール系融合剤。
【請求項２】
前記アルコール成分が９５〜９９．５質量％と、炭化水素成分が０．５〜５．０質量％とを含んでおり、前記炭化水素成分が炭素数１１〜１４の炭化水素であることを特徴とする請求項１に記載の内燃機関のアルコール系融合剤。
【請求項３】
前記アルコール成分のうちイソプロピルアルコールが４２〜４８質量％であり、イソブチルアルコールが３０〜３６質量％であり、ｎ−ブチルアルコールが１８〜２２質量％であることを特徴とする請求項１に記載の内燃機関のアルコール系融合剤。
【請求項４】
イソプロピルアルコール、イソブチルアルコール及びｎ−ブチルアルコールの重量比が（２．１〜２．４）：（１．５〜１．８）：１であることを特徴とする請求項３に記載の内燃機関のアルコール系融合剤。
【請求項５】
イソプロピルアルコール、イソブチルアルコール及びｎ−ブチルアルコールのアルコール成分を４０〜５０質量％、炭化水素成分を５０〜６０質量％含んでおり、前記アルコール成分のうちイソプロピルアルコールが１６〜２４質量％であり、イソブチルアルコールが１２〜１８質量％であり、ｎ−ブチルアルコールが６〜１２質量％であることを特徴とする内燃機関のアルコール系融合剤。
【請求項６】
前記アルコール成分が４１〜４７質量％と、炭化水素成分が５３〜５９質量％とを含んでおり、前記炭化水素成分が炭素数１１〜１４の炭化水素であることを特徴とする請求項５に記載の内燃機関のアルコール系融合剤。
【請求項７】
前記アルコール成分のうちイソプロピルアルコールが１８〜２２質量％であり、イソブチルアルコールが１４〜１６質量％であり、ｎ−ブチルアルコールが８〜１０質量％であることを特徴とする請求項５に記載の内燃機関のアルコール系融合剤。
【請求項８】
イソプロピルアルコール、イソブチルアルコール及びｎ−ブチルアルコールの重量比が（１．９〜２．５）：（１．４〜１．９）：１であることを特徴とする請求項５に記載の内燃機関のアルコール系融合剤。
【発明の詳細な説明】
【技術分野】
【０００１】
本発明は、内燃機関の燃料に添加して用いるアルコール系融合剤に関する。
【背景技術】
【０００２】
環境に優しい内燃機関用燃料としてアルコールを含むものが提案されている（例えば、特許文献１参照）。このアルコール系燃料は、アルコール成分を５０〜７５質量％と、炭化水素成分２５〜４９．９質量％とを含んでいる。そして、アルコール成分としてイソプロピルアルコール、イソブチルアルコール及びｎ−ブチルアルコールを含み、イソプロピルアルコールが１５〜３０質量％、イソブチルアルコールが１５〜２５質量％、またｎ−ブチルアルコールが７〜２０質量％含まれている。
【０００３】
このようなアルコール系燃料は、メチルアルコール、エチルアルコールなどのような炭素（Ｃ）の数が少ないアルコール成分を含んでいないために、アルミニウムに対する腐食性が少なく、内燃機関の腐食を抑えることができるというメリットがある。
【０００４】
一方、内燃機関の洗浄剤として、アルコール類を含むものが提案されている（例えば、特許文献２参照）。この洗浄剤は、シクロデキストリンとアルコール類を主成分とし、一般的機械部品、精密機械部品、エンジン部品、電子部品、電気部品などの洗浄に用いることができる。
【先行技術文献】
【特許文献】
【０００５】
【特許文献１】特許第３９１８１７２号公報
【特許文献２】特開２０１６−１６０３１０号公報
【発明の概要】
【発明が解決しようとする課題】
【０００６】
しかし、従来の上述したアルコール系燃料は、ガソリン燃料の代替え燃料として提案されたものであり、内燃機関の燃料に添加して用いる融合剤として用いるものではない。また、従来の上述した洗浄剤は、一般的機械部品、精密機械部品、エンジン部品などを洗浄するためのものであり、内燃機関の燃料に添加して用いるものではない。また、アルコール類としてエタノール、メタノールなどを用いるためにアルミニウムに対する腐食が問題となり、内燃機関の腐食につながるおそれがある。
【０００７】
本発明の目的は、内燃機関の燃料に添加して用い、内燃機関内部のクリーン化を図って有害排気ガスの排出を抑えるとともに、低燃費効果を得ることができるアルコール系融合剤を提供することである。
【課題を解決するための手段】
【０００８】
本発明の内燃機関のアルコール系融合剤は、イソプロピルアルコール、イソブチルアルコール及びｎ−ブチルアルコールのアルコール成分を９５〜１００質量％含んでおり、前記アルコール成分のうちイソプロピルアルコールが４０〜５０質量％であり、イソブチルアルコールが２８〜３８質量％であり、ｎ−ブチルアルコールが１６〜２４質量％であることを特徴とする。
【０００９】
このようなアルコール系融合剤では、アルコール成分９５〜９９．５質量％、炭化水素成分０．５〜５．０質量％を含み、炭化水素成分として炭素数１１〜１４の炭化水素を用いるのが好ましく、このような炭素数の多い炭化水素成分を幾分含ませることにより、燃料としてのガソリンに添加したときに内燃機関での燃焼を安定させることができる。
【００１０】
また、アルコール成分のうちイソプロピルアルコールを４２〜４８質量％、イソブチルアルコールを３０〜３６質量％、ｎ−ブチルアルコールを１８〜２２質量％とするのが好ましく、このような成分にすることにより、ガソリンに添加する融合剤のアルコール成分をより安定させることができ、更にイソプロピルアルコール、イソブチルアルコール及びｎ−ブチルアルコールの重量比が（２．１〜２．４）：（１．５〜１．８）：１であるのがより好ましい。
【００１１】
また、本発明の他の内燃機関のアルコール系融合剤は、イソプロピルアルコール、イソブチルアルコール及びｎ−ブチルアルコールのアルコール成分を４０〜５０質量％、炭化水素成分を５０〜６０質量％含んでおり、前記アルコール成分のうちイソプロピルアルコールが１６〜２４質量％であり、イソブチルアルコールが１２〜１８質量％であり、ｎ−ブチルアルコールが６〜１２質量％であることを特徴とする。
【００１２】
この内燃機関のアルコール系融合剤では、アルコール成分４１〜４７質量％、炭化水素成分５３〜５９質量％を含み、炭化水素成分として炭素数１１〜１４の炭化水素を用いるのが好ましく、このように炭化水素成分を５３〜５９質量％と半分以上含み、この炭化水素成分として炭素数の多いもの用いることにより、燃料としての軽油に添加したときに内燃機関での燃焼を安定させることができる。また、アルコール成分のうちイソプロピルアルコールを１８〜２２質量％、イソブチルアルコールを１４〜１６質量％、ｎ−ブチルアルコールを８〜１０質量％とするのが好ましく、このような成分にすることにより、軽油に添加する融合剤のアルコール成分をより安定させることができ、更にイソプロピルアルコール、イソブチルアルコール及びｎ−ブチルアルコールの重量比を（１．９〜２．５）：（１．４〜１．９）：１とするのがより好ましい。
【発明の効果】
【００１３】
本発明の内燃機関のアルコール系融合剤によれば、イソプロピルアルコール、イソブチルアルコール及びｎ−ブチルアルコールのアルコール成分を９５〜１００質量％含んでおり、この融合剤に含まれるアルコールは、メチルアルコール及びエチルアルコールよりも炭素数が多いアルコールであり、それゆえに、アルミニウム（アルミ合金を含む）に対する腐食性が少なく、アルミニウム製の内燃機関の添加融合剤として用いたとしてもその腐食を抑えることができる。
【００１４】
また、融合剤中のアルコール成分が９５〜１００質量％であるので、内燃機関の燃料としてのガソリン（レギュラーガソリン、ハイオクガソリン）に添加混合して用いることができ、ガソリンに添加したときには、このガソリンとともに融合剤が内燃機関で燃焼され、この燃焼排気ガスとともに排出されるようになり、内燃機関に悪影響を与えることなく使用することができる。
【００１５】
更に、アルコール成分のうちイソプロピルアルコールが４０〜５０質量％、イソブチルアルコールが２８〜３８質量％、ｎ−ブチルアルコールが１６〜２４質量％であるので、これらを混合したアルコール成分を安定させてガソリンに添加させることができ、ガソリン用の融合剤として好適に用いることができる。
【００１６】
加えて、融合剤中のアルコール成分が９５〜１００質量％と高いので、このアルコール成分による洗浄効果が得られ、ガソリンに添加して用いることにより、内燃機関を分解することなくシリンダ内を含む吸気系全般の洗浄を行うことができ、使い勝手のよい融合剤として用いることができる。そして、この洗浄効果により、内燃機関の性能が回復し、燃費の改善を図ることができるとともに、排ガス中の一酸化炭素（ＣＯ）の排出量を削減することができ、環境に優しい融合剤として提供することができる。
【００１７】
また、本発明の他の内燃機関のアルコール系融合剤によれば、イソプロピルアルコール、イソブチルアルコール及びｎ−ブチルアルコールのアルコール成分を４０〜５０質量％、炭化水素成分を５０〜６０質量％含んでいるので、この融合剤に含まれるアルコール成分は、アルミニウム（アルミ合金を含む）に対する腐食性が少なく、アルミニウム製の内燃機関の添加融合剤として用いたとしてもその腐食を抑えることができる。
【００１８】
また、融合剤中のアルコール成分が４０〜５０質量％、炭化水素成分が５０〜６０質量％であるので、内燃機関の燃料としての軽油に添加混合して用いることができ、軽油に添加したときには、この軽油とともに融合剤が内燃機関で燃焼され、この燃焼排気ガスとともに排出されるようになり、内燃機関に悪影響を与えることなく使用することができる。また、炭化水素成分が５０〜６０質量％含まれているので、軽油に添加して用いたときに内燃機関での燃焼を安定させることができる。
【００１９】
更に、アルコール成分のうちイソプロピルアルコールが１６〜２４質量％、イソブチルアルコールが１２〜１８質量％、ｎ−ブチルアルコールが６〜１２質量％であるので、これらを混合したアルコール成分を安定させて軽油に添加させることができ、軽油用の融合剤として好適に用いることができる。
【００２０】
加えて、融合剤中のアルコール成分が４０〜５０質量％であるので、このアルコール成分による洗浄効果が得られ、軽油に添加して用いることにより、内燃機関を分解することなくシリンダ内を含む吸気系全般の洗浄を行うことができ、使い勝手のよい融合剤として用いることができる。そして、この洗浄効果により、内燃機関の性能が回復し、燃費の改善を図ることができるとともに、排ガス中の一酸化炭素（ＣＯ）の排出量を削減することができる。
【発明を実施するための形態】
【００２１】
以下、本発明に従う内燃機関のアルコール系融合剤の各種実施例について説明する。まず、アルコール系融合剤の第１の実施例について説明する。この第１の実施例のアルコール系融合剤は、燃料としてのガソリン（レギュラーガソリン、ハイオクガソリン）に添加して好適に用いることができる。
【００２２】
このアルコール系融合剤は、エンジンなどの内燃機関の燃料（レギュラーガソリン、ハイオクガソリン）に添加して用いられ、この第１の実施例のアルコール系融合剤は、イソプロピルアルコール、イソブチルアルコール及びｎ−ブチルアルコールから構成され、これらのアルコール成分が１００質量％となるように構成される。
【００２３】
このアルコール系融合剤におけるアルコール成分については、イソプロピルアルコールが４０〜５０質量％であり、イソブチルアルコールが２８〜３８質量％であり、ｎ−ブチルアルコールが１６〜２４質量％であり、このような成分にすることにより、融合剤のアルコール成分を安定させてガソリンに添加させることができる。このアルコール成分については、イソプロピルアルコールが４２〜４８質量％であり、イソブチルアルコールが３０〜３６質量％であり、ｎ−ブチルアルコールが１８〜２２質量％であるのが好ましく、このような成分にすることにより、ガソリンに添加する融合剤のアルコール成分をより安定させることができる。
【００２４】
このアルコール系融合剤のアルコール成分の重量比は、例えば、イソプロピルアルコール、イソブチルアルコール及びｎ−ブチルアルコールの重量比が（２．１〜２．４）：（１．５〜１．８）：１であるのが好ましく、このようにイソプロピルアルコールを重量的に多くし、ｎ−ブチルアルコールを重量的に少なくすることにより成分的に安定した融合剤とすることができる。
【００２５】
この実施例では、アルコール成分が１００質量％であるが、アルコール成分が１００質量％でなく、少しの炭化水素成分を含んでいてもよく、アルコール成分が９５〜９９．５質量％含み、炭化水素成分が０．５〜５．０質量％含むものでもよい。この場合、炭化水素としては、炭素数１１〜１４の炭化水素を用いるのが好ましく、このような炭素数の多い炭化水素成分を幾分含ませることにより、燃料としてのガソリンに添加したときに内燃機関での燃焼を安定させることができる。
【００２６】
この炭化水素としては、例えば、鎖状炭化水素、環状炭化水素などを用いることができ、環状炭化水素としては脂環式炭化水素、芳香族炭化水素などを用いることができる。例えば、炭化水素成分として芳香族炭化水素を用いる場合、炭素数１１のものとしては、例えば（１−エチルプロピル）ベンゼン、１−ペンチルベンゼンなどを用いることができ、炭素数１２のものとしては、例えば２，６−ジメチルナフタレン、１，３−ジメチルナフタレン、２，３ジメチルナフタレン、１，４−ジプロピルベンゼン，１，３，５−トリエチルベンゼンなどを用いることができる。また、炭素数１３のものとしては、例えば３，５ージイソプロピルトルエンなどを用いることができ、炭素数１４のものとしては、例えば１，３−ジイソプロピル−５−エチルベンゼンなどを用いることができる。
【００２７】
このアルコール系融合剤は、例えばガソリン（レギュラーガソリン、ハイオクガソリン）５０リットルに対して２００ｃｃ程度（ガソリンの１／１００程度）添加され、このように融合剤を添加すると、ガソリンとともにアルコール系融合剤が内燃機関の吸気系を通してシリンダ内に供給されて燃焼され、燃焼後に燃焼排気ガスとして排気系を通して大気中に排出される。
【００２８】
このアルコール系融合剤では、アルコール成分としてメチルアルコール及びエチルアルコールを含まず、これらよりも炭素数が多いアルコールを用いており、それ故に、アルミニウム（アルミ合金を含む）に対する腐食性が少なく、内燃機関への腐食の影響を抑えることができる。
【００２９】
また、アルコール系融合剤中のアルコール成分が９５〜１００質量％と高いので、このアルコール成分による洗浄効果が得られ、ガソリンに添加して用いることにより、内燃機関を分解することなくシリンダ内を含む吸気系全般の洗浄を行うことができる。特に、使用年数の長い内燃機関、走行距離の長い自動車用内燃機関などに用いた場合、その洗浄作用により内燃機関の性能が大きく回復するようになり、その結果、燃費の改善を図ることができるとともに、排ガス中の一酸化炭素（ＣＯ）の排出量を削減することができ、環境に優しい融合剤として用いることができる。
【００３０】
次に、アルコール系融合剤の第２の実施例について説明する。この第２の実施例のアルコール系融合剤は、燃料としての軽油に添加して好適に用いることができる。この第２の実施例のアルコール系融合剤は、イソプロピルアルコール、イソブチルアルコール及びｎ−ブチルアルコールからなるアルコール成分と炭化水素成分とから構成され、アルコール成分が４０〜５０質量％含まれ、炭化水素成分が５０〜６０質量％含まれるように構成され、このような成分にすることにより、このアルコール系融合剤を安定させて軽油に添加させることができる。この融合剤中のアルコール成分については４１〜４７質量％に、炭化水素成分については５３〜５９質量％にするのが好ましい。
【００３１】
この第２の実施例のアルコール系融合剤におけるアルコール成分については、イソプロピルアルコールが１６〜２４質量％であり、イソブチルアルコールが１２〜１８質量％であり、ｎ−ブチルアルコールが６〜１２質量％であり、このような成分にすることにより、融合剤のアルコール成分を炭化水素成分に安定して混合させることができる。
【００３２】
このアルコール成分については、イソプロピルアルコールが１８〜２２質量％、イソブチルアルコールが１４〜１６質量％、ｎ−ブチルアルコールが８〜１０質量％含まれるようにするのが好ましく、このような成分にすることにより、融合剤のアルコール成分を炭化水素成分により安定して混合させることができる。
【００３３】
このアルコール系融合剤のアルコール成分の重量比は、例えば、イソプロピルアルコール、イソブチルアルコール及びｎ−ブチルアルコールの重量比が（１．９〜２．５）：（１．４〜１．９）：１であるのが好ましく、このようにイソプロピルアルコールを重量的に多くし、ｎ−ブチルアルコールを重量的に少なくすることにより成分的に安定した融合剤とすることができる。
【００３４】
このアルコール系融合剤に含まれる炭化水素としては、第１の実施形態と同様に、炭素数１１〜１４の炭化水素を用いるのが好ましく、このような炭素数の多い炭化水素成分を幾分含ませることにより、燃料としてのガソリンに添加したときに内燃機関での燃焼を安定させることができる。この炭化水素としては、例えば、第１の実施形態と同様のものを用いることができ、例えば、鎖状炭化水素、環状炭化水素などを用いることができ、環状炭化水素としては脂環式炭化水素、芳香族炭化水素などを用いることができる。
【００３５】
この第２の実施例のアルコール系融合剤は、例えば軽油５０リットルに対して２００ｃｃ程度（軽油の１／１００程度）添加され、このように融合剤を添加すると、軽油とともにアルコール系融合剤が内燃機関の吸気系を通してシリンダ内に供給されて燃焼され、燃焼後に燃焼排気ガスとして排気系を通して大気中に排出される。
【００３６】
このアルコール系融合剤では、第１の実施例と同様に、アルコール成分としてメチルアルコール及びエチルアルコールを含まず、これらよりも炭素数が多いアルコールを用いているので、内燃機関への腐食の影響を抑えることができる。
【００３７】
また、アルコール系融合剤中のアルコール成分が４０〜５０質量％であるので、このアルコール成分による洗浄効果が得られ、軽油に添加して用いることにより、内燃機関を分解することなくシリンダ内を含む吸気系全般の洗浄を行うことができる。特に、使用年数の長い内燃機関、走行距離の長い自動車用内燃機関などに用いた場合、その洗浄作用により内燃機関の性能を大きく回復させることができる。
【実施例】
【００３８】
実施例１として、ガソリン（レギュラーガソリン）に添加するアルコール系融合剤を製造し、そのアルコール成分をガスクロマトグラフィーで測定したところ表１に示す通りであった。
【００３９】
また、実施例２として、ガソリン（ハイオクガソリン）に添加するアルコール系融合剤を製造し、そのアルコール成分をガスクロマトグラフィーで測定したところ表１に示す通りであった。この実施例２では、炭化水素成分（炭素数１１〜１４の炭化水素）が１．２質量％含まれていた。
【００４０】
更に、実施例３として、軽油に添加するアルコール系融合剤を製造し、そのアルコール成分をガスクロマトグラフィーで測定したところ表１で示す通りであった。この実施例３では、炭化水素成分（炭素数１１〜１４の炭化水素）が５６．１質量％含まれていた。
【００４１】
【表１】
2020196805.tif 000002
比較試験１として、レギュラーガソリン仕様のガソリンエンジンを搭載した乗用車を用い、実施例１のアルコール系融合剤を燃料としてのガソリン（レギュラーガソリン）５０リットルに対して２００ｃｃ添加して運転したときと、同じ乗用車をアルコール系融合剤を添加しないときの運転とを比較したところ、実施例１のアルコール系融合剤を添加した方が、燃費について約３％良くなり、一酸化炭素排出量（アイドリング時）については約２％少なくなかった。
【００４２】
また、比較試験２として、ハイオクガソリン仕様のガソリンエンジンを搭載した乗用車を用い、実施例２のアルコール系融合剤を燃料としてのガソリン（ハイオクガソリン）５０リットルに対して２００ｃｃ添加して運転したときと、同じ乗用車をアルコール系融合剤を添加しないときの運転とを比較したところ、実施例２のアルコール系融合剤を添加した方が、燃費について約２．５％良くなり、一酸化炭素排出量（アイドリング時）については約４％少なくなかった。
【００４３】
更に、比較試験３として、軽油仕様のディーゼルエンジンを搭載したトラックを用い、実施例３のアルコール系融合剤を燃料としての軽油５０リットルに対して２００ｃｃ添加して運転したときと、同じトラックをアルコール系融合剤を添加しないときの運転とを比較したところ、実施例３のアルコール系融合剤を添加した方が、燃費について約２％良くなり、一酸化炭素排出量（アイドリング時）については約３％少なかった。